(57)【特許請求の範囲】
【請求項１】
空気調和機の風路中に熱交換器およびファンを配置し、かつ前記熱交換器で結露した露水を集める露受け部と吹き出しノズルとを一体で構成してなる空気調和機において、前記露受け部本体を露受け上部とノズル内壁部材とで構成するとともに、露受け上部とノズル内壁部材とで密閉空間部を形成し、かつ前記露受け本体内密閉空間内に内部ドレンパンを設けたことを特徴とする空気調和機の吹出しノズル構造。
【請求項２】
露受け上部とノズル内壁部材とをネジにより固定したことを特徴とする請求項１記載の空気調和機の吹出しノズル構造。
【請求項３】
露受け上部とノズル内壁部材とを係止爪により固定したことを特徴とする請求項１記載の空気調和機の吹出しノズル構造。
【請求項４】
露受け上部とノズル内壁部材との接合面に植毛テープを貼付けたことを特徴とする請求項１記載の空気調和機の吹出しノズル構造。
【請求項５】
空気調和機の風路中に熱交換器およびファンを配置し、かつ前記熱交換器で結露した露水を集める露受け部と吹き出しノズルとを一体で構成してなる空気調和機において、前記露受け部本体を露受け上部とノズル内壁部材とで構成するとともに、露受け上部とノズル内壁部材とで密閉空間部を形成し、左右ベーン回転軸および連結棒を前記露受け部本体内密閉空間内に収納したことを特徴とした空気調和機の吹出しノズル構造。
【発明の詳細な説明】
【０００１】
【発明の属する技術分野】
この発明は空気調和機に係り、特に、その吹出しノズル構造に関するものである。
【０００２】
【従来の技術】
図５は従来の空気調和機室内機の吹出しノズル構造で、前パネルを取り除いた状態の要部断面図で、空気調和機の本体１内を室内空気を吸込む前パネル（図示していない）から吹出しノズル２間に風路３を形成するファンケーシング４を設けている。６はこのファンケーシング内の前パネル側に配置した熱交換器，７は同じくファンファンケーシング４内の吹出しノズル２側に配置したファン，８は前記吹出しノズル２中に設けた左右ベーン、９はこの左右ベーンの全面に配置したフラップ、１０は前記熱交換器６の下方に位置され、かつ前記吹出しノズル２の上面を形成している露受け部で、複数の立脚部１０ａ，１０ｂを備えている。１１は断熱材で、前記露受け部１０に集まった露水により、前記吹出しノズル２上面内側の結露を防ぐために露受け部１０内及び立脚部１０ａ全面に接着材等で貼り付けられている。
【０００３】
次に、動作を説明する。図５において、冷房時、ファン７の運転により熱交換器６で熱交換され冷やされた空気は、風路３を流れる冷気で冷やされノズル１より室内に吐出される。この時、熱交換器６表面に結露し発生する露水は、露受け部１０で集められる。
【０００４】
また、ノズル本体に空洞を設け、断熱材を不要とした技術が、例えば図６に示す特開平５−３０６８２１号公報に開示されている。図６において、１はエアコンの外装ケース本体で、ノズルとなる吐出口縁部２を他の箇所より厚くし、かつ中空とした構成となっている。
【０００５】
【発明が解決しようとする課題】
従来の空気調和機の吹出しノズルは以上のように構成されているので、ノズル形状に合わせた断熱材など多数を接着剤などで貼り付けている。また接着剤の接着力が弱く剥がれる可能性もあり、かつ量産時の貼り付け位置のバラツキが大きいなどの課題があった。また風路にあるベーンを可動するためのリンク等が風路内の圧力損失又は風量低下の一因であることも課題として挙げられる。
【０００６】
また、特開平５−３０６８２１号公報においては、中空部の形成に窒素等のガスを加圧注入する工程が加わり、作業環境的にもいいとは言えず、手間が掛かるという問題があった。
【０００７】
この発明は上記のような問題点を解消するためになされるもので、第１の目的は空気調和機の露受け部に貼り付ける断熱材を廃止した上で断熱効果を得ることを目的とする。
【０００８】
また、第２の目的は量産時の組立バラツキを抑え不良を発生しない構造を得ることを目的とする。
【０００９】
また、第３の目的は露受け部本体の密閉空間の高い密封度を確保することを目的とする。
【００１０】
また、第４の目的は露受け部本体の構成を高い密封度を維持したまま安価に固定することを目的とする。
【００１１】
また、第５の目的はコストを抑えた上で断熱効果をえることを目的とする。
【００１２】
また、第６の目的は吹出しノズルの圧力損失を低減することを目的とする。
【００１３】
【課題を解決するための手段】
この発明に係る空気調和機の吹出しノズル構造は、空気調和機の風路中に熱交換器およびファンを配置し、かつ前記熱交換器で結露した露水を集める露受け部と吹き出しノズルとを一体で構成してなる空気調和機において、前記露受け部本体を露受け上部とノズル内壁部材とで構成するとともに、露受け上部とノズル内壁部材とで密閉空間部を形成し、かつ前記露受け本体内密閉空間内に内部ドレンパンを設けたものである。
【００１５】
また、この発明に係わる空気調和機の吹出しノズル構造は、露受け上部とノズル内壁部材とをネジにより固定したものである。
【００１６】
また、この発明に係わる空気調和機の吹出しノズル構造は、露受け上部とノズル内壁部材とを係止爪により固定したものである。
【００１７】
また、この発明に係わる空気調和機の吹出しノズル構造は、露受け上部とノズル内壁部材との接合面に植毛テープを貼付けたものである。
【００１８】
また、この発明に係わる空気調和機の吹出しノズル構造は、ノズル内壁部材前縁部を前記内部ドレンパンを兼ねたものである。
【００１９】
また、この発明に係わる空気調和機の吹出しノズル構造は、空気調和機の風路中に熱交換器およびファンを配置し、かつ前記熱交換器で結露した露水を集める露受け部と吹き出しノズルとを一体で構成してなる空気調和機において、前記露受け部本体を露受け上部とノズル内壁部材とで構成するとともに、露受け上部とノズル内壁部材とで密閉空間部を形成し、左右ベーン回転軸および連結棒を前記露受け部本体内密閉空間内に収納したものである。
【００２０】
【発明の実施の形態】
実施の形態１．
以下、この発明の実施の形態１による空気調和機の吹き出しノズル構造を図について説明する。図１において、１は空気調和機の本体で、この本体内を室内空気を吸込む前パネル（図示していない）から吹出しノズル２間に風路３を形成するファンケーシング４を設けている。６はこのファンケーシング内の前パネル側に配置した熱交換器，７は同じくファンファンケーシング４内の吹出しノズル２側に配置したファン，８は前記吹出しノズル２中に設けた左右ベーンで、吹出しノズル２より突出した軸２ａに回転自在に装着されている。９はこの左右ベーンの全面に配置し、吹出しノズル２中に設けたフラップ脚９ａに取り付けられた上下方向の風向を変更するフラップ、１０は前記熱交換器６の下方に位置され、かつ前記吹出しノズル２の上面を形成している露受け部本体で、前記熱交換器６の露水を集める露受け上部１０ｃと、前記吹出しノズル２の上面内側部を形成するノズル内壁部材１０ｄとにより構成されている。１２は前記露受け上部１０ｃとノズル内壁部材１０ｄとにより形成された露受け部内密閉空間で、ネジ１３によりノズル内壁部材１０ｄを露受け上部１０ｃに固定され空間を形成している。１４は前記ノズル内壁部材１０ｄに形成した内部ドレンパンで、前記露受け部内密閉空間１２に吐出形成し空間内部に着露しても外部に排出させることの無いようにしている。
【００２１】
実施の形態２．
次に、実施の形態１では露受け上部１０ｃとノズル内壁部材１０ｄとにより露受け部内密閉空間１２を形成しネジ１３により固定する場合を示したが、吹出しノズル構造の実施の形態２を説明する。図２において、１５は露受け上部１０ｃ側に設けた係合部、１６はこの係合部に対向するようノズル内壁部材１０ｄに設けた係止爪である。
【００２２】
実施の形態３．
次に、実施の形態３について説明する。図３に示すように、８は前記吹出しノズル２中に設けた左右ベーンで、回転軸８ａを一体に設けている。１５は露受け上部１０ｃ側に設けた係合部、１６はこの係合部に対向するようノズル内壁部材１０ｄに設けた係止爪、１７は前記ノズル内壁部材１０ｄに密閉空間１２側に吐出して設けた左右ベーン８の回転軸８ａを挿通支持する軸孔、１８は植毛テープで、前記露受け上部１０ｃとノズル内壁部材１０ｄとの前側係合部前面に全幅に渡って貼り付けられている。１９は前記密閉空間１２内に位置し前記左右ベーン８の回転軸８ａに取り付けられた連結棒である。
【００２３】
この実施の形態３の吹出しノズル構造においては、露受け上部１０ｃとノズル内壁部材１０ｄとの前側係合部前面に全幅に渡って貼り付けることで、より高い気密性を得るとともに、左右ベーン８の回転軸８ａと連結棒７を密閉空間内１２に納めることにより風路３内の圧力損失を低減させる効果を得る。
【００２４】
実施の形態４．
次に、実施の形態４を説明する。図４において、露受け上部１０ｃとノズル内壁部材１０ｄとの結合部分を実施の形態１とは変えて露受け上部１０ｃを立設部ｅと平面部ｆとから形成している。またノズル内壁部材１０ｄを前記露受け上部１０ｃの立設部１０ｅに対向するようノズル内壁部材前縁部と一体に成形した立脚前部１０ｇと、左右ベーン８を取り付けたノズル内壁部材後縁部１０ｈとの分割位置を変更し、それぞれの接合面は爪等で結合するか、又は接着材又は超音波要着等にて接合する事により、図４に示すように立脚前部１０ｇが実施の形態１で説明した内部ドレンパン１４の機能を合わせ持つ効果を有する。
【００２５】
【発明の効果】
以上のように、この発明の空気調和機の吹出しノズル構造は、空気調和機の風路中に熱交換器およびファンを配置し、かつ前記熱交換器で結露した露水を集める露受け部と吹き出しノズルとを一体で構成してなる空気調和機において、前記露受け部本体を露受け上部とノズル内壁部材とで構成するとともに、露受け上部とノズル内壁部材とで密閉空間部を形成し、かつ前記露受け本体内密閉空間内に内部ドレンパンを設けた構成としたから、従来以上の断熱性能を得るとともに、密閉空間内の発生したドレンを十分保持する機能を有し、かつ密閉空間内に発生したドレンを十分保持する機能を有する効果がある。
【００２７】
また、この発明の空気調和機の吹出しノズル構造は、露受け上部とノズル内壁部材とをネジにより固定した構成としから、従来以上の断熱性能を得るとともに、高い密封度を得る効果を有する。
【００２８】
また、この発明の空気調和機の吹出しノズル構造は、露受け上部とノズル内壁部材とを係止爪により固定した構成としから、、従来以上の断熱性能を得るとともに、組立を容易に行え、かつ高い密封度を得る効果を有する。
【００２９】
また、この発明の空気調和機の吹出しノズル構造は、露受け上部とノズル内壁部材との接合面に植毛テープを貼付けた構成としから、安価に密封度を高める効果を有する。
【００３０】
また、この発明の空気調和機の吹出しノズル構造は、ノズル内壁部材前縁部を前記内部ドレンパンを兼ねた構成としから、密封度を高めるとともに、密閉空間内の内部ドレンを十分保持する機能を備えた効果を有する。
【００３１】
また、この発明の空気調和機の吹出しノズル構造は、空気調和機の風路中に熱交換器およびファンを配置し、かつ前記熱交換器で結露した露水を集める露受け部と吹き出しノズルとを一体で構成してなる空気調和機において、前記露受け部本体を露受け上部とノズル内壁部材とで構成するとともに、露受け上部とノズル内壁部材とで密閉空間部を形成し、左右ベーン回転軸および連結棒を前記露受け部本体内密閉空間内に収納した構成としから、従来以上の断熱性能を得るとともに、吹き出し面積を大きくし圧力損失を低減して風量を増大する効果を有する。
【図面の簡単な説明】
【図１】  この発明の実施の形態１における空気調和機の吹出しノズル構造を示す要部拡大断面図である。
【図２】  この発明の実施の形態２における空気調和機の吹出しノズル構造を示す要部拡大断面図である。
【図３】  この発明の実施の形態３における空気調和機の吹出しノズル構造を示す要部拡大断面図である。
【図４】  この発明の実施の形態４における空気調和機の吹出しノズル構造を示す要部拡大断面図である。
【図５】  従来の空気調和機の吹出しノズル構造を示す拡大断面図である。
【図６】  第２の従来例の空気調和機の吹出しノズル構造を示す拡大断面図である。
【符号の説明】
２  吹出しノズル、  ８  左右ベーン、  ８ａ  回転軸、  １０  露受け部本体、  １０ｃ  露受け上部、  １０ｄ  ノズル内壁部材、  １０ｇ  ノズル内壁部材前縁部、  １２  密封空間、  １３  ネジ、  １４  内部ドレンパン、  １６  係止爪、  １８  植毛テープ、  １９  連結棒。
【図１】
0003740814.tif 000002
【図２】
0003740814.tif 000003
【図３】
0003740814.tif 000004
【図４】
0003740814.tif 000005
【図５】
0003740814.tif 000006
【図６】
0003740814.tif 000007